(57)【要約】【課題】上級医による承認履歴をシステムに残しつつ簡便な作業で診断レポートを承認することができる技術が望まれている。【解決手段】診断レポートを作成するための端末361と、診断レポートDを管理するサーバ35とを含む診断レポートシステム1であって、端末361は、ユーザの識別情報を読み取る読取手段361rを備えており、端末361において第１ユーザ42により診断レポートDが作成された後に、読取手段361rにおける第１ユーザ42とは異なる第２ユーザ43の識別情報の読取りに応答して、第２ユーザの識別情報をサーバ35へ送信し、サーバ35は、第２ユーザ43の識別情報に基づいて、第２ユーザ43のサーバ35へのログイン認証と、端末361において第１ユーザ42により作成された読影レポートDの第２ユーザ43による承認とを行う、診断レポートシステム1を提供する。【選択図】図１
2015011483.tif 000002
【特許請求の範囲】
【請求項１】
診断レポートを作成するための端末と、前記診断レポートを管理するサーバとを含む診断レポートシステムであって、
前記端末は、ユーザの識別情報を読み取る読取手段を備えており、該端末において第１ユーザにより診断レポートが作成された後に、前記読取手段における前記第１ユーザとは異なる第２ユーザの識別情報の読取りに応答して、該第２ユーザの識別情報を前記サーバへ送信し、
前記サーバは、該第２ユーザの識別情報に基づいて、前記第２ユーザの前記サーバへのログイン認証と、前記端末において前記第１ユーザにより作成された診断レポートの前記第２ユーザによる承認とを行う、診断レポートシステム。
【請求項２】
前記サーバは、前記第２ユーザの識別情報の読取りの直前に作成された診断レポートの承認を行う、請求項１に記載の診断レポートシステム。
【請求項３】
前記サーバは、前記第２ユーザの識別情報の読取りごとに、前記第２ユーザのログイン認証と、前記読影レポートの前記第２ユーザによる承認と、前記第２ユーザのログアウトとを行う、請求項１または請求項２に記載の診断レポートシステム。
【請求項４】
前記端末は、前記第２ユーザの識別情報の読取りに応答して、前記第２ユーザの識別情報が読み取られた読取手段を備える端末の識別情報を、前記サーバに送信し、
前記サーバは、前記第２ユーザの識別情報が読み取られた読取手段を備える端末と、前記診断レポートが作成された端末とが一致しているときにのみ、前記診断レポートの前記第２ユーザによる承認を行う、請求項１から請求項３のいずれか一項に記載の診断レポートシステム。
【請求項５】
前記端末は、前記診断レポートが作成される前に、前記読取手段による前記第１ユーザの識別情報の読取りに応答して、該第１ユーザの識別情報を前記サーバへ送信し、
前記サーバは、前記第１ユーザの識別情報に基づいて前記第１ユーザの前記サーバへのログイン認証を行い、
前記端末は、該ログイン認証の後に、診断レポートを作成するためのアプリケーションソフトを立ち上げる、請求項１から請求項４のいずれか一項に記載の診断レポートシステム。
【請求項６】
前記診断レポートは、医用画像の読影レポートである、請求項１から請求項５のいずれか一項に記載の診断レポートシステム。
【請求項７】
前記診断レポートは、病理検査の診断レポートである、請求項１から請求項５のいずれか一項に記載の診断レポートシステム。
【請求項８】
前記読取手段は、記憶媒体または生体から前記ユーザの識別情報を読み取る、請求項１から請求項７のいずれか一項に診断レポートシステム。
【請求項９】
前記サーバは、前記第２ユーザに係るログイン認証および承認の履歴を残す、請求項１から請求項８のいずれか一項に記載の診断レポートシステム。
【請求項１０】
コンピュータを、請求項１から請求項９のいずれか一項に記載の診断レポートシステムにおける前記端末として機能させるためのプログラム。
【発明の詳細な説明】
【技術分野】
【０００１】
本発明は、診断レポートシステム（report system）およびそのためのプログラム（program）に関する。
【背景技術】
【０００２】
従来、医用画像や病理検査などの診断レポートを作成する際に、研修医や専修医など経験の浅い下級医が作成した診断レポートは、上司もしくはベテラン（veteran）の上級医による内容確認を受け、内容に問題がなければ承認（確定操作）が成されて、臨床医に発行される。
【０００３】
また、コンピュータネットワーク（computer network）上で構築される診断レポートシステムでは、通常、下級医は端末からログイン（log-in）して診断レポートを作成・提出し、上級医は端末からログインして提出済みレポートのリスト（list）を表示させ、１件ずつ内容を確認して、承認を行う（特許文献１，段落［００３９］等参照）。
【先行技術文献】
【特許文献】
【０００４】
【特許文献１】特開２０１２−１７４０１５号公報
【発明の概要】
【発明が解決しようとする課題】
【０００５】
一方、大学病院などでは、診断レポートを作成している下級医の傍らに上級医が滞在し、上級医が随時レポート内容にアドバイス（advice）を出して、その場で診断レポートを完成させる場合がある。この場合、実質的には、診断レポートの作成と承認の両方がその場で同時に行われていると考えることができる。
【０００６】
このような場合であっても、上級医による承認履歴を残す必要性から、従来の診断レポートシステムでは、下級医が診断レポートを提出した後に、上級医が改めて端末からシステムにログインして、その診断レポートを承認する必要がある。
【０００７】
しかしながら、このように実質的には承認済みである診断レポートに対して、上級医が端末からシステムにログインして承認を行う作業は、非常に煩雑であり、上級医に負担が掛かるだけでなく、臨床医に発行されるまでの所要時間も長くなり、効率的でない。
【０００８】
このような事情により、上級医による承認履歴をシステムに残しつつ簡便な作業で診断レポートを承認することができる技術が望まれている。
【課題を解決するための手段】
【０００９】
第１の観点の発明は、
診断レポートを作成するための端末と、前記診断レポートを管理するサーバ（server）とを含む診断レポートシステムであって、
前記端末が、ユーザ（user）の識別情報を読み取る読取手段を備えており、該端末において第１ユーザにより診断レポートが作成された後に、前記読取手段における前記第１ユーザとは異なる第２ユーザの識別情報の読取りに応答して、該第２ユーザの識別情報を前記サーバへ送信し、
前記サーバが、該第２ユーザの識別情報に基づいて、前記第２ユーザの前記サーバへのログイン認証と、前記端末において前記第１ユーザにより作成された診断レポートの前記第２ユーザによる承認とを行う、診断レポートシステムを提供する。
【００１０】
第２の観点の発明は、
前記サーバが、前記第２ユーザの識別情報の読取りの直前に作成された診断レポートの承認を行う、上記第１の観点の診断レポートシステムを提供する。
【００１１】
第３の観点の発明は、
前記サーバが、前記第２ユーザの識別情報の読取りごとに、前記第２ユーザのログイン認証と、前記読影レポートの前記第２ユーザによる承認と、前記第２ユーザのログアウト（log-out）とを行う、上記第１の観点または第２の観点の診断レポートシステムを提供する。
【００１２】
第４の観点の発明は、
前記端末が、前記第２ユーザの識別情報の読取りに応答して、前記第２ユーザの識別情報が読み取られた読取手段を備える端末の識別情報を、前記サーバに送信し、
前記サーバが、前記第２ユーザの識別情報が読み取られた読取手段を備える端末と、前記診断レポートが作成された端末とが一致しているときにのみ、前記診断レポートの前記第２ユーザによる承認を行う、上記第１の観点から第３の観点のいずれか一つの観点の診断レポートシステムを提供する。
【００１３】
第５の観点の発明は、
前記端末が、前記診断レポートが作成される前に、前記読取手段による前記第１ユーザの識別情報の読取りに応答して、該第１ユーザの識別情報を前記サーバへ送信し、
前記サーバが、前記第１ユーザの識別情報に基づいて前記第１ユーザの前記サーバへのログイン認証を行い、
前記端末が、該ログイン認証の後に、診断レポートを作成するためのアプリケーションソフト（application software）を立ち上げる、上記第１の観点から第４の観点のいずれか一つの観点の診断レポートシステムを提供する。
【００１４】
第６の観点の発明は、
前記診断レポートが、医用画像の読影レポートである、上記第１の観点から第５の観点のいずれか一つの観点の診断レポートシステムを提供する。
【００１５】
第７の観点の発明は、
前記診断レポートが、病理検査の診断レポートである、上記第１の観点から第５の観点のいずれか一つの観点の診断レポートシステムを提供する。
【００１６】
第８の観点の発明は、
前記読取手段が、記憶媒体または生体から前記ユーザの識別情報を読み取る、上記第１の観点から第７の観点のいずれか一つの観点の診断レポートシステムを提供する。
【００１７】
第９の観点の発明は、
前記サーバが、前記第２ユーザに係るログイン認証および承認の履歴を残す、上記第１の観点から第８の観点のいずれか一つの観点の診断レポートシステムを提供する。
【００１８】
第１０の観点の発明は、
コンピュータを、上記第１の観点から第９の観点のいずれか一つの観点の診断レポートシステムにおける前記端末として機能させるためのプログラムを提供する。
【発明の効果】
【００１９】
上記観点の発明によれば、第１ユーザが第２ユーザからアドバイスを受けながら診断レポートを作成し提出する際に、第２ユーザがその端末においてユーザの識別情報の読取りを行わせるだけで、サーバへのログインと診断レポートの承認とを一度に行うことができる。そのため、第２ユーザは、第１ユーザが診断レポートを提出した後に、端末から通常の手続きを経てシステムにログインして診断レポートを作成・承認するためのアプリケーションソフトを立ち上げ、提出された診断レポートを特定して承認するという煩雑な作業を不要とすることができる。その結果、第２ユーザによる承認履歴をシステムに残しつつ簡便な作業で診断レポートを承認することができる。
【図面の簡単な説明】
【００２０】
【図１】病院内ネットワークシステムの構成を概略的に示す図である。
【図２】病院内ネットワークシステムにおける処理の流れを示すフローチャート（flowchart）である。
【図３】読影レポート作成画面の一例を示す図である。
【図４】上級読影医による読影レポート承認行為のイメージ（image）を示す図である。
【発明を実施するための形態】
【００２１】
以下、図面を参照して発明の実施形態を詳細に説明する。なお、これにより、発明が限定されるものではない。
【００２２】
図１は、病院内ネットワークシステム１の構成を概略的に示す図である。図１に示すように、病院内ネットワークシステム１は、診療科ネットワークシステム２と、検査科ネットワークシステム３とが、ゲートウェイ（gateway）４を介して接続された構成を有している。
【００２３】
診療科ネットワークシステム２では、ＨＩＳサーバ２１と、複数のＨＩＳ端末２２とがＬＡＮ（Local Network system）接続されている。ＨＩＳサーバ２１は、病院情報システム(Hospital Information System)を構成するためのサーバである。ＨＩＳ端末２２は、病院情報システムＨＩＳを構成するための端末であり、第１のＨＩＳ端末２２１〜第ＮのＨＩＳ端末まで複数ある。病院情報システムには、自動受付システム、電子カルテシステム（medical record system）、入退院管理システム、医事会計システム、薬局管理システムなどの広範囲なシステムが含まれる。なお、本例では、第１のＨＩＳ端末２２１は、ある患者４０の担当医である臨床医４１が使用する端末である。
【００２４】
検査科ネットワークシステム３では、ＲＩＳ(Radiology Information
System)サーバ３１と、複数のＲＩＳ端末３２と、各種のモダリティ（modality）機器３３と、ＰＡＣＳ（Picture Archiving and Communication System）サーバ３４と、レポートサーバ３５と、複数の読影端末３６とがＬＡＮ接続されている。
【００２５】
ＲＩＳサーバ３１は、放射線科情報システムＲＩＳを構成するためのサーバである。ＲＩＳ端末３２は、放射線科情報システムを構成するための端末である。放射線科情報システムは、放射線機器に限らず、各種のモダリティ機器よる検査の予約から検査結果までの管理を行うシステムである。ＲＩＳサーバ３１は、患者情報や予約情報などの内容を、ＨＩＳサーバ２１から取得する。
【００２６】
モダリティ機器３３は、第１のモダリティ機器〜第Ｕのモダリティ機器まで複数あり、具体的には、Ｘ線ＣＴ（Computed Tomography）装置、ＭＲＩ（Magnetic
Resonance Imaging）装置、一般（単純）Ｘ線撮影装置、超音波装置、内視鏡装置、眼底検査装置などがある。
【００２７】
ＰＡＣＳサーバ３４は、各種のモダリティ機器３３において取得された医用画像を受信して記憶し、送信要求に応じてこれらの医用画像を送信する。
【００２８】
レポートサーバ３５は、読影端末３６と合わせてレポートシステムを構成する。レポートサーバ３５は、ユーザのログイン認証／ログアウト、読影端末３６から提出された読影レポートの受信、承認要求に応じた読影レポートの承認、送信（発行）要求に応じた読影レポートの送信等を行う。また、レポートサーバ３５は、これらの履歴を残し、管理する。
【００２９】
読影端末３６は、レポートサーバ３５と合わせてレポートシステムを構成する。読影端末３６は、読影医が、医用画像を読影してその読影レポートを作成・提出したり承認したりするための端末であり、第１の読影端末３６１〜第Ｍの読影端末３６Ｍまで複数ある。第１の読影端末３６１〜第Ｍの読影端末３６Ｍは、それぞれ、ユーザのＩＤカード（identification card）からそのＩＤカードに記録されているＩＤ情報を読み取るカード読取機３６１ｒ〜３６Ｍｒを備えており、ユーザのログイン認証等に用いられる。カード読取機３６１ｒ〜３６Ｍｒは、本例では、非接触型を想定するが、接触型であってもよい。
【００３０】
なお、本例では、第１の読影端末３６１は、研修医や専修医など経験の浅い読影医である下級読影医（第１ユーザ）４２が通常使用する端末であり、下級読影医４２は、この端末を用いて読影レポートを作成・提出する。また、第２の読影端末３６２は、下級読影医４２の上司やベテランの読影医である上級読影医（第２ユーザ）４３が通常使用する端末であり、上級読影医４３は、この端末を用いて下級読影医４２が作成・提出した読影レポートの内容を確認し、必要に応じて修正し、承認（確定）する。
【００３１】
ちなみに、上記のサーバおよび端末は、それぞれ、コンピュータに所定のプログラムを実行させることにより実現される。
【００３２】
これより、病院内ネットワークシステム１における処理の流れについて説明する。なお、ここでは、読影レポートを作成している下級読影医４２の傍らに上級読影医４３が滞在し、上級読影医４３が読影レポートの内容にアドバイスを出して、その場で読影レポートを完成させる場合を想定する。
【００３３】
図２は、病院内ネットワークシステム１における読影レポートに関する処理の流れを示すフローチャートである。
【００３４】
ステップ（step）Ｓ０では、読影対象となる医用画像Ｐが取得される。具体的には、臨床医４１が、第１のＨＩＳ端末２２１において、あるモダリティ機器による患者４０の検査（撮影）のオーダ（order）を行う。すると、第１のＨＩＳ端末２２１は、その検査オーダ情報ＪをＨＩＳサーバ２１に送信する。ＨＩＳサーバ２１は、受信した検査オーダ情報ＪをＲＩＳサーバに送信する。撮影技師４４は、ＲＩＳ端末３２において、ＲＩＳサーバ３１から検査オーダ情報Ｊを呼び出し、検査オーダの内容を確認する。ＲＩＳサーバ３１は、その検査オーダ情報Ｊを、そのオーダに対応したモダリティ機器３３に送信する。撮影技師４４は、その検査オーダ情報Ｊに基づき、モダリティ機器３３において、患者４０の検査（撮影）を実施する。モダリティ機器３３は、取得した医用画像ＰをＰＡＣＳサーバ３４に送信する。
【００３５】
ステップＳ１では、下級読影医４２のＩＤカード４２ｉの読取りが行われる。具体的には、下級読影医４２が、第１の読影端末３６１において、自身のＩＤカード４２ｉをカード読取機３６１ｒにかざす。カード読取機３６１ｒは、ＩＤカード４２ｉに記録されている下級読影医のＩＤ情報を読み取る。
【００３６】
ステップＳ２では、下級読影医４２のログイン認証が行われる。具体的には、第１の読影端末３６１が、下級読影医４２のＩＤ情報とともにログイン要求信号をレポートサーバ３５に送信する。レポートサーバ３５は、受信した下級読影医４２のＩＤ情報およびログイン要求信号を基に、下級読影医４２のログイン認証処理を行う。レポートサーバ３５は、このログイン認証処理において、下級読影医４２が登録リストに含まれていることを確認して、ログインを許可し、ログイン完了信号を第１の読影端末３６１に送信する。
【００３７】
ステップＳ３では、第１の読影端末３６１が、ログイン完了信号の受信に応答して、第１の読影端末３６１にインストール（install）されている読影レポート作成・承認用のアプリケーションソフトを実行して立ち上げる。
【００３８】
ステップＳ４では、下級読影医４２が、読影レポートＤを作成する。具体的には、下級読影医４２が、第１の読影端末３６１において、読影レポート作成画面上で、読影する医用画像を選択する。第１の読影端末３６１は、ＰＡＣＳサーバ３４から、選択された医用画像Ｐを読み出し、それを表示部に表示する。図３に、読影レポート作成画面の一例を示す。下級読影医４２は、自身の傍らに滞在する上級読影医４３からアドバイスを受けながら読影を行い、図３に示すように、アノテーション（annotation）や所見などを入力する。第１の読影端末３６１は、入力された情報を基に読影レポートＤを作成する。
【００３９】
ステップＳ５では、読影レポートＤの提出方法が選択される。具体的には、下級読影医４２が、図３に示すような、第１の読影端末３６１の読影レポート作成画面に表示されている提出方法選択欄Ｃにおいて、アイコンボタンを押下することにより、「通常提出」および「承認提出」のいずれかを選択する操作を行う。「通常提出」は、読影レポートＤの提出のみを行い、承認は後で行う提出方法である。「承認提出」は、提出と同時にその場で承認を行う提出方法である。「通常提出」が選択された場合には、ステップＳ６に進み、「承認提出」が選択された場合には、ステップＳ７に進む。
【００４０】
ステップＳ６では、読影レポートＤが提出される。具体的には、第１の読影端末３６１が、作成された読影レポートＤをレポートサーバ３５に送信する。レポートサーバ３５は、読影レポートＤを受信する。この時点では、読影レポートＤの承認フラグは立っていない。つまり、読影レポートＤは、上級読影医４３による承認が済んでいない未承認の状態であり、承認待ちの読影レポートＤとして管理される。その後、ステップＳ１２に進む。
【００４１】
一方、ステップＳ７では、読影レポートＤが提出される。具体的には、第１の読影端末３６１は、作成された読影レポートＤをレポートサーバ３５に送信する。レポートサーバ３５は、読影レポートＤを受信する。カード読取機３６１ｒは、ＩＤカードの読取り待ち受け状態となる。
【００４２】
ステップＳ８では、上級読影医４３のＩＤカード４３ｉの読取りが行われる。図４に、上級読影医４３による読影レポート承認行為のイメージ図を示す。具体的には、上級読影医４３が、図４に示すように、承認行為として、自身のＩＤカード４３ｉを、読影レポートＤが作成された第１の読影端末３６１におけるカード読取機３６１ｒにかざす。カード読取機３６１ｒは、上級読影医のＩＤカード４３ｉに記録されている上級読影医４３のＩＤ情報を読み取る。上級読影４３のＩＤカード４３ｉの読取りが完了すると、これに応答して、以下のステップＳ９〜Ｓ１１が一度に行われる。
【００４３】
ステップＳ９では、上級読影医４３のログイン認証が行われる。具体的には、第１の読影端末３６１が、上級読影医４３のＩＤ情報とともにログイン要求信号をレポートサーバ３５に送信する。レポートサーバ３５は、受信した上級読影医４３のＩＤ情報およびログイン要求信号を基に、上級読影医４３のログイン認証処理を行う。レポートサーバ３５は、このログイン認証処理において、上級読影医４３が登録リストに含まれていることを確認して、ログイン許可信号を第１の読影端末３６１に送信する。第１の読影端末３６１は、ログイン許可信号を受信し、上級読影医４３のログインが完了する。
【００４４】
ステップＳ１０では、上級読影医４３による読影レポートＤの承認が行われる。具体的には、第１の読影端末３６１が、読影レポートの承認要求信号とともに、承認対象となる読影レポートＤの識別情報と、上級読影医４３のＩＤカード４３ｉが読まれたカード読取機３６１ｒもしくはその接続先である第１の読影端末３６１の識別情報とを、レポートサーバ３５に送信する。レポートサーバ３５は、受信したこれらの情報を基に、上級読影医４３は承認資格を持っているか、承認対象となる読影レポートＤが作成され提出された端末と、上級読影医のＩＤカード４３ｉの読取りが行われたカード読取機３６１ｒを備える端末とが一致しているかなど、承認許可条件を満たしているかを判定する。承認許可条件を満たしている場合にのみ、読影レポートＤの承認（確定）フラグ（flag）を立てる。これにより、読影レポートＤは、上級読影医４３による承認が成された確定済み読影レポートＫとなる。レポートサーバ３５は、承認完了信号を第１の読影端末３６１に送信する。なお、承認対象は、本例では、上級読影医のＩＤカード４３ｉの読取りが行われる直前に作成された単一の読影レポートを想定するが、まとめて作成された複数の読影レポートとしてもよい。
【００４５】
ステップＳ１１では、上級読影医４３のログアウトが行われる。具体的には、第１の読影端末３６１が、上級読影医４３のログアウト要求信号をレポートサーバ３５に送信する。レポートサーバ３５は、そのログアウト要求信号を基に、上級読影医４３のログアウト処理を行い、ログアウト完了信号を第１の読影端末３６１に送信する。これにより、上級読影医４３のログアウトが完了する。その後、ステップＳ１２に進む。
【００４６】
ステップＳ１２では、次の読影を行うか否かが決定される。具体的には、下級読影医４２が、第１の読影端末３６１において、次の医用画像Ｐを読影するか否かを選択する。「読影する」が選択された場合には、ステップＳ４に進む。「読影しない」が選択された場合には、ステップＳ１３に進む。
【００４７】
ステップＳ１３では、下級読影医４２のログアウトが行われる。具体的には、第１の読影端末３６１が、下級読影医４２のログアウト要求信号をレポートサーバ３５に送信する。レポートサーバ３５は、そのログアウト要求信号を基に、下級読影医４２のログアウト処理を行い、ログアウト完了信号を第１の読影端末３６１に送信する。これにより、下級読影医４２のログアウトが完了する。
【００４８】
なお、「通常提出」によって提出された読影レポートＤについては、上級読影医４３が、第２の読影端末３６２等の読影端末からレポートサーバ３５にログインし、承認待ちの読影レポートＤの内容を確認する。そして、読影レポートＤに対して、必要に応じて修正を加え、承認を行う。
【００４９】
また、レポートサーバ３５は、読影レポートＤの承認フラグが立てられて、確定済み読影レポートＫが生成されると、これをＲＩＳサーバ３１に送信する。ＲＩＳサーバ３１は、確定済み読影レポートＫを受信すると、その確定済み読影レポートＫをＨＩＳサーバ２１に送信する。
【００５０】
そして、臨床医４１は、第１のＨＩＳ端末２２１において、確定済み読影レポートＫの要求指令を出す。第１のＨＩＳ端末２２１は、ＨＩＳサーバ２１に確定済み読影レポートＫの要求信号を送信する。ＨＩＳサーバ２１は、その要求信号に基づいて、確定済み読影レポートＫを第１のＨＩＳ端末２２１に送信する。臨床医４１は、第１のＨＩＳ端末２２１において、確定済み読影レポートＫを見て、診断や治療方針を決定する。
【００５１】
以上、上記実施形態によれば、下級読影医４２が上級読影医４３からアドバイスを受けながら読影レポートＤを作成し提出する際に、上級読影医４３がその端末においてＩＤカード４３ｉによるユーザ認証を行うだけで、レポートサーバ３５へのログインと読影レポートＤの承認とを一度に行うことができる。そのため、上級読影医４３は、下級読影医４２が読影レポートＤを提出した後に、端末から通常の手続きを経てシステムにログインして読影レポート作成・承認用のアプリケーションソフトを立ち上げ、提出された読影レポートＤを特定して承認するという煩雑な作業を不要とすることができる。その結果、上級読影医４３による承認履歴をシステムに残しつつ簡便な作業で読影レポートＤを承認することができる。
【００５２】
また、上記実施形態によれば、下級読影医４２は、ＩＤカード４２ｉによるユーザ認証を行うだけで、レポートサーバ３５へのログインと、読影レポート管理ソフトの立ち上げとを同時に行うことができるので、ＩＤ情報とパスワードの手入力や、読影レポート作成用のアプリケーションソフトを立ち上げるためのアイコン（icon）のクリック（click）など、煩雑な作業を不要とすることができる。
【００５３】
なお、発明の実施形態は、上記実施形態に限定されず、発明の趣旨を逸脱しない範囲において、種々の変更、追加が可能である。
【００５４】
例えば、上記実施形態では、上級読影医４３のログインおよびログアウトは、ＩＤカードをカード読取機３６１ｒにかざして「承認提出」を実行するごとに自動的に行っているが、このような処理に限定する必要はない。例えば、「承認提出」の実行時に、上級読影医４３がログインしていないときだけログイン処理を行い、その後はログイン状態を保ち、最後の（直近の）「承認提出」の実行から所定のタイムアウト（time-out）時間が経過した時点で、自動的にログアウト処理を行うようにしてもよい。
【００５５】
また例えば、上記実施形態では、ユーザ認証に、カード認証を用いているが、代わりに生体認証を用いてもよい。生体認証としては、例えば、ユーザの指紋や手の静脈、声紋、眼球の虹彩、顔などの照合による認証などが考えられる。
【００５６】
また例えば、上記実施形態では、下級読影医４２が読影レポートＤを提出する際に、「通常提出」か「承認提出」を選択する形式を採っているが、別の方法として、下級読影医４２が読影レポートＤを提出した直後に、その場で承認を行うか否かの問合せを受け、そこでいずれかを選択する形式としてもよい。あるいは、読影レポートＤが提出されてから一定時間だけ承認待ちの状態を作り、その間に承認行為すなわち上級読影医４３によるユーザ認証がなければ、承認待ち状態を解除する形式を採ってもよい。
【００５７】
また例えば、上記実施形態は、発明を医用画像の読影レポートに適用した例であるが、その他の診断レポート、例えば、病理検査の診断レポートにも適用することができる。
【符号の説明】
【００５８】
１  病院内ネットワークシステム
２  診療科ネットワークシステム
３  検査科ネットワークシステム
４  ゲートウェイ
２１  ＨＩＳサーバ
２２  ＨＩＳ端末
２２１  第１のＨＩＳ端末
３１  ＲＩＳサーバ
３２  ＲＩＳ端末
３３  モダリティ機器
３４  ＰＡＣＳサーバ
３５  レポートサーバ（サーバ）
３６  読影端末
３６１  第１の読影端末
３６１ｒ  カード読取機
３６２  第２の読影端末
３６２ｒ  カード読取機
４０  患者
４１  臨床医
４２  下級読影医（第１ユーザ）
４２ｉ  下級読影医のＩＤカード
４３  上級読影医（第２ユーザ）
４３ｉ  上級読影医のＩＤカード
４４  撮影技師
４５  他の読影医
Ｐ  医用画像
Ｄ  読影レポート
【図１】
2015011483.tif 000003
【図２】
2015011483.tif 000004
【図３】
2015011483.tif 000005
【図４】
2015011483.tif 000006